(57)【要約】【課題】本発明は実験用ビーカーを提供した。【解決手段】ビーカー主体及び前記ビーカー主体の中に設置されている上方に開口した混合チャンバを含み、前記ビーカー主体の左右端壁には取っ手が対称的に設置され、左側の前記取っ手の頂壁の中には動力チャンバが設置され、前記動力チャンバの中には第一スプラインスリーブが回転可能に設置され、本発明のビーカーはビーカー口を密封でき、同時にビーカー口を密封する時に流れガイド棒を連動させて攪拌棒に変形させ、それにより実験の混合溶液の中の物質の間の反応速度を速めることを実現し、設備自体が流れガイド棒を備えていることにより、溶液が跳ね散ることを防止でき、より安全である。【選択図】図１
2020179387.tif 000002
【特許請求の範囲】
【請求項１】
正面視で、ビーカー主体及び前記ビーカー主体の中に設置されている上方に開口した混合チャンバを含み、前記ビーカー主体の左右端壁には取っ手が対称的に設置され、左側の前記取っ手の頂壁の中には動力チャンバが設置され、前記動力チャンバの中には第一スプラインスリーブが回転可能に設置され、前記第一スプラインスリーブの中には上方に開口した第一スプライン穴が設置され、前記第一スプライン穴の中には第一スプライン軸がスプラインにより連結され、前記第一スプライン軸と前記第一スプライン穴の底壁との間には第一ばねが弾性的に設置され、前記第一スプラインスリーブの外面には第一ギヤが固定的に設置され、前記動力チャンバの底壁の中にはモータが固定的に設置され、前記モータの出力軸の上へ伸びている末端には前記第一ギヤと噛み合っている第二ギヤが固定的に設置され、右側の前記取っ手の頂壁には前後対称である回転ベースが固定的に装着され、前後二つの前記回転ベースの間には固定ロッドが固定的に設置され、前記固定ロッドの外面には第一プーリが固定的に設置され、前記固定ロッドにはビーカー蓋が回転可能に設置され、前記ビーカー蓋の左側端壁の中には揺れ動きチャンバが設置され、前記揺れ動きチャンバの端壁の中にはガイドスライド溝が設置され、前記ガイドスライド溝の中にはラックがスライド可能に設置され、前記スライド溝の右側端壁の中にはギヤチャンバが設置され、前記ギヤチャンバの底壁の中には伝送チャンバが設置され、前記ギヤチャンバの中には第一回転軸が回転可能に設置され、前記第一回転軸の外面には前記ラックと噛み合っている第三ギヤ及び前記第三ギヤの前側に位置している第二プーリが固定的に設置され、前記第二プーリと前記第一プーリとの間が第一ベルトにより伝動できるように連結され、前記ラックの頂壁の中には凹溝が設置され、前記凹溝の中には回転ブロックが回転可能に設置され、前記回転ブロックの中には抜き穴が設置され、前記抜き穴の中には流れガイド棒がスライド可能に設置され、前記ビーカー蓋と前記ビーカー主体とが密着した時、溶液を前記流れガイド棒に沿って注ぎ、それにより溶液が飛び散ることを防止でき、より安全であることを特徴とする実験用ビーカー。
【請求項２】
前記流れガイド棒の外周には環状溝が設置され、前記環状溝の中には環状リミットブロックがスライド可能に設置され、前記環状リミットブロックと前記環状溝の端壁との間には第二ばねが弾性的に設置され、前記流れガイド棒の末端の円周壁の中には複数組の収納溝が設置され、前記収納溝の中には撹拌羽根が回転可能に設置され、前記撹拌羽根と前記環状リミットブロックとの間には引き紐が連結され、前記揺れ動かきチャンバの右側端壁の中にはベルトチャンバが設置され、前記揺れ動きチャンバと前記ベルトチャンバとの間には前記流れガイド棒とヒンジで繋がれている第二回転軸が回転可能に設置され、前記ベルトチャンバの中の前記第二回転軸の外面には第三プーリが固定的に設置され、前記ベルトチャンバの中には左右に伸びている第二スプラインスリーブが回転可能に設置され、前記第二スプラインスリーブの外面には第四プーリが固定的に設置され、前記第四プーリと前記第三プーリとの間が第二ベルトにより伝動できるように連結され、前記第二スプラインスリーブの中には左右に貫通している第二スプライン穴が設置され、前記第二スプライン穴の中には左右に伸びている第二スプライン軸がスプラインにより連結され、前記第二スプライン軸と前記第二スプライン穴の端壁との間には復帰装置が弾性的に設置され、前記ビーカー蓋と前記ビーカー主体と密着した時、前記第一スプライン軸が前記第一ばねの作用の下で上へ移動して前記第二スプライン穴の中に入り込み、それにより実験の溶液を撹拌することに便利を与えることを特徴とする請求項１に記載の実験用ビーカー。
【発明の詳細な説明】
【技術分野】
【０００１】
本発明はコップ分野に関わり、具体的には実験用ビーカーである。
【背景技術】
【０００２】
人々は実験を行う時、各種の溶液を混合して撹拌する必要があり、伝統的なビーカーは溶液を入れて貯蔵する機能だけを持ち、自動的に溶液を混合できなく、また実験のときに溶液を直接に注ぐと溶液が飛び散りやすく、実験を行う人にとって危険であり、従って上記の問題を解決するために実験用ビーカーが強く求められている。
【先行技術文献】
【特許文献】
【０００３】
【特許文献１】中国特許出願公開第１０６０００４８８号明細書
【発明の概要】
【発明が解決しようとする課題】
【０００４】
本発明は実験用ビーカーを提供し、既存技術にある上記の欠点を解決し、設備の実用性を高めることを目的とする。
【課題を解決するための手段】
【０００５】
本発明の実験用ビーカーは、ビーカー主体及び前記ビーカー主体の中に設置されている上方に開口した混合チャンバを含み、前記ビーカー主体の左右端壁には取っ手が対称的に設置され、左側の前記取っ手の頂壁の中には動力チャンバが設置され、前記動力チャンバの中には第一スプラインスリーブが回転可能に設置され、前記第一スプラインスリーブの中には上方に開口した第一スプライン穴が設置され、前記第一スプライン穴の中には第一スプライン軸がスプラインにより連結され、前記第一スプライン軸と前記第一スプライン穴の底壁との間には第一ばねが弾性的に設置され、前記第一スプラインスリーブの外面には第一ギヤが固定的に設置され、前記動力チャンバの底壁の中にはモータが固定的に設置され、前記モータの出力軸の上へ伸びている末端には前記第一ギヤと噛み合っている第二ギヤが固定的に設置され、右側の前記取っ手の頂壁には前後対称である回転ベースが固定的に装着され、前後二つの前記回転ベースの間には固定ロッドが固定的に設置され、前記固定ロッドの外面には第一プーリが固定的に設置され、前記固定ロッドにはビーカー蓋が回転可能に設置され、前記ビーカー蓋の左側端壁の中には揺れ動きチャンバが設置され、前記揺れ動きチャンバの端壁の中にはガイドスライド溝が設置され、前記ガイドスライド溝の中にはラックがスライド可能に設置され、前記スライド溝の右側端壁の中にはギヤチャンバが設置され、前記ギヤチャンバの底壁の中には伝送チャンバが設置され、前記ギヤチャンバの中には第一回転軸が回転可能に設置され、前記第一回転軸の外面には前記ラックと噛み合っている第三ギヤ及び前記第三ギヤの前側に位置している第二プーリが固定的に設置され、前記第二プーリと前記第一プーリとの間が第一ベルトにより伝動できるように連結され、前記ラックの頂壁の中には凹溝が設置され、前記凹溝の中には回転ブロックが回転可能に設置され、前記回転ブロックの中には抜き穴が設置され、前記抜き穴の中には流れガイド棒がスライド可能に設置され、前記ビーカー蓋と前記ビーカー主体とが密着した時、溶液を前記流れガイド棒に沿って注ぎ、それにより溶液が飛び散ることを防止でき、より安全である。
【０００６】
好ましくは、前記流れガイド棒の外周には環状溝が設置され、前記環状溝の中には環状リミットブロックがスライド可能に設置され、前記環状リミットブロックと前記環状溝の端壁との間には第二ばねが弾性的に設置され、前記流れガイド棒の末端の円周壁の中には複数組の収納溝が設置され、前記収納溝の中には撹拌羽根が回転可能に設置され、前記撹拌羽根と前記環状リミットブロックとの間には引き紐が連結され、前記揺れ動かきチャンバの右側端壁の中にはベルトチャンバが設置され、前記揺れ動きチャンバと前記ベルトチャンバとの間には前記流れガイド棒とヒンジで繋がれている第二回転軸が回転可能に設置され、前記ベルトチャンバの中の前記第二回転軸の外面には第三プーリが固定的に設置され、前記ベルトチャンバの中には左右に伸びている第二スプラインスリーブが回転可能に設置され、前記第二スプラインスリーブの外面には第四プーリが固定的に設置され、前記第四プーリと前記第三プーリとの間が第二ベルトにより伝動できるように連結され、前記第二スプラインスリーブの中には左右に貫通している第二スプライン穴が設置され、前記第二スプライン穴の中には左右に伸びている第二スプライン軸がスプラインにより連結され、前記第二スプライン軸と前記第二スプライン穴の端壁との間には復帰装置が弾性的に設置され、前記ビーカー蓋と前記ビーカー主体と密着した時、前記第一スプライン軸が前記第一ばねの作用の下で上へ移動して前記第二スプライン穴の中に入り込み、それにより実験の溶液を撹拌することに便利を与える。
【発明の効果】
【０００７】
本発明有益な効果は：本発明のビーカーはビーカー口を密封でき、同時にビーカー口を密封する時に流れガイド棒を連動させて攪拌棒に変形させ、それにより実験の混合溶液の中の物質の間の反応速度を速めることを実現し、設備自体が流れガイド棒を備えていることにより、溶液が跳ね散ることを防止でき、より安全である。
【図面の簡単な説明】
【０００８】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【０００９】
【図１】図１は本発明の実験用ビーカーの全体構成模式図
【図２】図２は図１のＡの拡大構成模式図
【図３】図３は図１のＢの拡大構成模式図
【発明を実施するための形態】
【００１０】
本説明書に開示したすべての特徴、または開示したすべての方法または過程中のステップは、互いに排斥する特徴と／またはステップ以外に、いずれもあらゆる方式で組み合わせることができる。
【００１１】
図１〜３に示すように、本発明の実験用ビーカーは、ビーカー主体１０及び前記ビーカー主体１０の中に設置されている上方に開口した混合チャンバ１１を含み、前記ビーカー主体１０の左右端壁には取っ手１２が対称的に設置され、左側の前記取っ手１２の頂壁の中には動力チャンバ１９が設置され、前記動力チャンバ１９の中には第一スプラインスリーブ１５が回転可能に設置され、前記第一スプラインスリーブ１５の中には上方に開口した第一スプライン穴２３が設置され、前記第一スプライン穴２３の中には第一スプライン軸２２がスプラインにより連結され、前記第一スプライン軸２２と前記第一スプライン穴２３の底壁との間には第一ばね１６が弾性的に設置され、前記第一スプラインスリーブ１５の外面には第一ギヤ２０が固定的に設置され、前記動力チャンバ１９の底壁の中にはモータ１７が固定的に設置され、前記モータ１７の出力軸の上へ伸びている末端には前記第一ギヤ２０と噛み合っている第二ギヤ１８が固定的に設置され、右側の前記取っ手１２の頂壁には前後対称である回転ベース３７が固定的に装着され、前後二つの前記回転ベース３７の間には固定ロッド３８が固定的に設置され、前記固定ロッド３８の外面には第一プーリ３９が固定的に設置され、前記固定ロッド３８にはビーカー蓋１４が回転可能に設置され、前記ビーカー蓋１４の左側端壁の中には揺れ動きチャンバ２７が設置され、前記揺れ動きチャンバ２７の端壁の中にはガイドスライド溝２８が設置され、前記ガイドスライド溝２８の中にはラック３６がスライド可能に設置され、前記スライド溝２８の右側端壁の中にはギヤチャンバ４４が設置され、前記ギヤチャンバ４４の底壁の中には伝送チャンバ４０が設置され、前記ギヤチャンバ４４の中には第一回転軸４２が回転可能に設置され、前記第一回転軸４２の外面には前記ラック３６と噛み合っている第三ギヤ４３及び前記第三ギヤ４３の前側に位置している第二プーリ４１が固定的に設置され、前記第二プーリ４１と前記第一プーリ３９との間が第一ベルト３５により伝動できるように連結され、前記ラック３６の頂壁の中には凹溝２９が設置され、前記凹溝２９の中には回転ブロック３０が回転可能に設置され、前記回転ブロック３０の中には抜き穴３０が設置され、前記抜き穴３０の中には流れガイド棒１３がスライド可能に設置され、前記ビーカー蓋１４と前記ビーカー主体１０とが密着した時、溶液を前記流れガイド棒１３に沿って注ぎ、それにより溶液が飛び散ることを防止でき、より安全である。
【００１２】
有益なように、前記流れガイド棒１３の外周には環状溝３４が設置され、前記環状溝３４の中には環状リミットブロック３３がスライド可能に設置され、前記環状リミットブロック３３と前記環状溝３４の端壁との間には第二ばね３２が弾性的に設置され、前記流れガイド棒１３の末端の円周壁の中には複数組の収納溝２５が設置され、前記収納溝２５の中には撹拌羽根２６が回転可能に設置され、前記撹拌羽根２６と前記環状リミットブロック３３との間には引き紐２４が連結され、前記揺れ動かきチャンバ２７の右側端壁の中にはベルトチャンバ４８が設置され、前記揺れ動きチャンバ２７と前記ベルトチャンバ４８との間には前記流れガイド棒１３とヒンジで繋がれている第二回転軸４５が回転可能に設置され、前記ベルトチャンバ４８の中の前記第二回転軸４５の外面には第三プーリ４６が固定的に設置され、前記ベルトチャンバ４８の中には左右に伸びている第二スプラインスリーブ５０が回転可能に設置され、前記第二スプラインスリーブ５０の外面には第四プーリ５１が固定的に設置され、前記第四プーリ５１と前記第三プーリ４６との間が第二ベルト４７により伝動できるように連結され、前記第二スプラインスリーブ５０の中には左右に貫通している第二スプライン穴５２が設置され、前記第二スプライン穴５２の中には左右に伸びている第二スプライン軸５４がスプラインにより連結され、前記第二スプライン軸５４と前記第二スプライン穴５２の端壁との間には復帰装置５３が弾性的に設置され、前記ビーカー蓋１４と前記ビーカー主体１０と密着した時、前記第一スプライン軸２２が前記第一ばね１６の作用の下で上へ移動して前記第二スプライン穴５２の中に入り込み、それにより実験の溶液を撹拌することに便利を与える。
【００１３】
以下、出願人は附図１〜３及び上記に述べた本出願の実験用ビーカーの具体的な構成を参照してその使用方法を詳しく紹介する：
【００１４】
本発明設備で実験を行う時、原液を流れガイド棒１３に沿って注ぎ、原液がビーカーの壁に沿って混合チャンバ１１の中に流れ込み、それから添加物を上記の方法に従って混合チャンバ１１の中に注ぎ、この時にビーカー蓋１４を閉め、ビーカー蓋１４が回転して第二プーリ４１を回転連動させ、それにより第三ギヤ４３を回転連動させ、それによりラック３６を連動させて上へ移動させ、それにより流れガイド棒１３を回転連動させ、同時に流れガイド棒１３が回転ブロック１３の中でスライドし、この時に環状リミットブロック３３が第二ばね３２の作用により移動し、それにより引き紐２４が連動して撹拌羽根２６を引き動かして広げ、ビーカー蓋１４が第一スプライン軸２２と当接した時、第一スプライン軸２２が下へ移動して第一ばね１６を圧縮し、ビーカー蓋１４がビーカー主体１０と密着した時、第一スプライン軸２２が第一ばね１６の作用の下で上へ移動して第二スプライン穴５２の中に入り込み、この時に第二スプライン軸５４が押し出され、モータ１７が始動されて回転して第二ギヤ１８と第一ギヤ２０と第一スプラインスリーブ２１と第一スプライン軸２２と第二スプラインスリーブ５０と第四プーリ５０と第三プーリ４６と第二回転軸４５と流れガイド棒１３とを回転連動させ、それにより撹拌羽根２６を回転連動させて混合液を撹拌し、混合液が十分に混合反応した時、第二スプライン軸５４を下へ押して第一スプライン軸２２を第二スプライン穴５２から押し出し、この時にビーカー蓋１４を開け、設備が初期状態に戻り、溶液の混合反応実験を完成する。
【００１５】
以上詳細な分析からわかったのは：本発明のビーカーはビーカー口を密封でき、同時にビーカー口を密封する時に流れガイド棒を連動させて攪拌棒に変形させ、それにより実験の混合溶液の中の物質の間の反応速度を速めることを実現し、設備自体が流れガイド棒を備えていることにより、溶液が跳ね散ることを防止でき、より安全である。
【００１６】
上記に述べたことは、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定された保護範囲を基準とするベきである。
【図１】
2020179387.tif 000003
【図２】
2020179387.tif 000004
【図３】
2020179387.tif 000005
【手続補正書】
【提出日】令和1年7月20日(2019.7.20)
【手続補正１】
【補正対象書類名】特許請求の範囲
【補正対象項目名】全文
【補正方法】変更
【補正の内容】
【特許請求の範囲】
【請求項１】
正面視で、ビーカー主体及び前記ビーカー主体の中に形成され且つ上方に開口した混合チャンバを含み、前記ビーカー主体の左右端壁には取っ手が対称的に設置され、左側の前記取っ手の頂壁の中には動力チャンバが設置され、前記動力チャンバの中には第一スプラインスリーブが回転可能に設置され、前記第一スプラインスリーブの中には上方に開口した第一スプライン穴が設置され、前記第一スプライン穴の中には第一スプライン軸がスプラインにより連結され、前記第一スプライン軸と前記第一スプライン穴の底壁との間には第一ばねが弾性的に設置され、前記第一スプラインスリーブの外面には第一ギヤが固定的に設置され、前記動力チャンバの底壁の中にはモータが固定的に設置され、前記モータの出力軸の上へ伸びている末端には前記第一ギヤと噛み合っている第二ギヤが固定的に設置され、右側の前記取っ手の頂壁には前後対称である回転ベースが固定的に装着され、前後二つの前記回転ベースの間には固定ロッドが固定的に設置され、前記固定ロッドの外面には第一プーリが固定的に設置され、前記固定ロッドにはビーカー蓋が回転可能に設置され、前記ビーカー蓋が直角に開いている時の方向を右端とし、前記ビーカー蓋がしまっている際の時の方向を上方とし、前記ビーカー蓋の左側端壁の中には揺れ動きチャンバが設置され、前記揺れ動きチャンバの端壁の中にはガイドスライド溝が設置され、前記ガイドスライド溝の中にはラックがスライド可能に設置され、前記スライド溝の右側端壁の中にはギヤチャンバが設置され、前記ギヤチャンバの底壁の中には伝送チャンバが設置され、前記ギヤチャンバの中には第一回転軸が回転可能に設置され、前記第一回転軸の外面には前記ラックと噛み合っている第三ギヤ及び前記第三ギヤの前側に位置している第二プーリが固定的に設置され、前記第二プーリと前記第一プーリとの間が第一ベルトにより伝動できるように連結され、前記ラックの頂壁の中には凹溝が設置され、前記凹溝の中には回転ブロックが回転可能に設置され、前記回転ブロックの中には抜き穴が設置され、前記抜き穴の中には流れガイド棒が設置され、前記ビーカー蓋と前記ビーカー主体とが密着した時、前記第一スプライン軸が前記第一ばねの作用の下で上へ移動して前記第二スプライン穴の中に入り込み、溶液を前記流れガイド棒に沿って注ぎ、それにより溶液が飛び散ることを防止できることを特徴とする実験用ビーカー。
【請求項２】
前記流れガイド棒の外周には環状溝が設置され、前記環状溝の中には環状リミットブロックがスライド可能に設置され、前記環状リミットブロックと前記環状溝の端壁との間には第二ばねが弾性的に設置され、前記流れガイド棒の末端の円周壁の中には複数組の収納溝が設置され、前記収納溝の中には撹拌羽根が回転可能に設置され、前記撹拌羽根と前記環状リミットブロックとの間には引き紐が連結され、前記揺れ動かきチャンバの右側端壁の中にはベルトチャンバが設置され、前記揺れ動きチャンバと前記ベルトチャンバとの間には前記流れガイド棒とヒンジで繋がれている第二回転軸が回転可能に設置され、前記ベルトチャンバの中の前記第二回転軸の外面には第三プーリが固定的に設置され、前記ベルトチャンバの中には左右に伸びている第二スプラインスリーブが回転可能に設置され、前記第二スプラインスリーブの外面には第四プーリが固定的に設置され、前記第四プーリと前記第三プーリとの間が第二ベルトにより伝動できるように連結され、前記第二スプラインスリーブの中には左右に貫通している第二スプライン穴が設置され、前記第二スプライン穴の中には左右に伸びている第二スプライン軸がスプラインにより連結され、前記第二スプライン軸と前記第二スプライン穴の端壁との間には復帰装置が弾性的に設置され、前記ビーカー蓋と前記ビーカー主体と密着した時、前記第一スプライン軸が前記第一ばねの作用の下で上へ移動して前記第二スプライン穴の中に入り込み、それにより実験の溶液を撹拌することに便利を与えることを特徴とする請求項１に記載の実験用ビーカー。
【手続補正２】
【補正対象書類名】明細書
【補正対象項目名】全文
【補正方法】変更
【補正の内容】
【発明の詳細な説明】
【技術分野】
【０００１】
本発明はコップ分野に関わり、具体的には実験用ビーカーである。
【背景技術】
【０００２】
人々は実験を行う時、各種の溶液を混合して撹拌する必要があり、伝統的なビーカーは溶液を入れて貯蔵する機能だけを持ち、自動的に溶液を混合できなく、また実験のときに溶液を直接に注ぐと溶液が飛び散りやすく、実験を行う人にとって危険であり、従って上記の問題を解決するために実験用ビーカーが強く求められている。
【先行技術文献】
【特許文献】
【０００３】
【特許文献１】中国特許出願公開第１０６０００４８８号明細書
【発明の概要】
【発明が解決しようとする課題】
【０００４】
本発明は実験用ビーカーを提供し、既存技術にある上記の欠点を解決し、設備の実用性を高めることを目的とする。
【課題を解決するための手段】
【０００５】
本発明の実験用ビーカーは、ビーカー主体及び前記ビーカー主体の中に形成され且つ上方に開口した混合チャンバを含み、前記ビーカー主体の左右端壁には取っ手が対称的に設置され、左側の前記取っ手の頂壁の中には動力チャンバが設置され、前記動力チャンバの中には第一スプラインスリーブが回転可能に設置され、前記第一スプラインスリーブの中には上方に開口した第一スプライン穴が設置され、前記第一スプライン穴の中には第一スプライン軸がスプラインにより連結され、前記第一スプライン軸と前記第一スプライン穴の底壁との間には第一ばねが弾性的に設置され、前記第一スプラインスリーブの外面には第一ギヤが固定的に設置され、前記動力チャンバの底壁の中にはモータが固定的に設置され、前記モータの出力軸の上へ伸びている末端には前記第一ギヤと噛み合っている第二ギヤが固定的に設置され、右側の前記取っ手の頂壁には前後対称である回転ベースが固定的に装着され、前後二つの前記回転ベースの間には固定ロッドが固定的に設置され、前記固定ロッドの外面には第一プーリが固定的に設置され、前記固定ロッドにはビーカー蓋が回転可能に設置され、前記ビーカー蓋が直角に開いている時の方向を右端とし、前記ビーカー蓋がしまっている際の時の方向を上方とし、前記ビーカー蓋の左側端壁の中には揺れ動きチャンバが設置され、前記揺れ動きチャンバの端壁の中にはガイドスライド溝が設置され、前記ガイドスライド溝の中にはラックがスライド可能に設置され、前記スライド溝の右側端壁の中にはギヤチャンバが設置され、前記ギヤチャンバの底壁の中には伝送チャンバが設置され、前記ギヤチャンバの中には第一回転軸が回転可能に設置され、前記第一回転軸の外面には前記ラックと噛み合っている第三ギヤ及び前記第三ギヤの前側に位置している第二プーリが固定的に設置され、前記第二プーリと前記第一プーリとの間が第一ベルトにより伝動できるように連結され、前記ラックの頂壁の中には凹溝が設置され、前記凹溝の中には回転ブロックが回転可能に設置され、前記回転ブロックの中には抜き穴が設置され、前記抜き穴の中には流れガイド棒が設置され、前記ビーカー蓋と前記ビーカー主体とが密着した時、前記第一スプライン軸が前記第一ばねの作用の下で上へ移動して前記第二スプライン穴の中に入り込み、溶液を前記流れガイド棒に沿って注ぎ、それにより溶液が飛び散ることを防止できる。
【０００６】
好ましくは、前記流れガイド棒の外周には環状溝が設置され、前記環状溝の中には環状リミットブロックがスライド可能に設置され、前記環状リミットブロックと前記環状溝の端壁との間には第二ばねが弾性的に設置され、前記流れガイド棒の末端の円周壁の中には複数組の収納溝が設置され、前記収納溝の中には撹拌羽根が回転可能に設置され、前記撹拌羽根と前記環状リミットブロックとの間には引き紐が連結され、前記揺れ動かきチャンバの右側端壁の中にはベルトチャンバが設置され、前記揺れ動きチャンバと前記ベルトチャンバとの間には前記流れガイド棒とヒンジで繋がれている第二回転軸が回転可能に設置され、前記ベルトチャンバの中の前記第二回転軸の外面には第三プーリが固定的に設置され、前記ベルトチャンバの中には左右に伸びている第二スプラインスリーブが回転可能に設置され、前記第二スプラインスリーブの外面には第四プーリが固定的に設置され、前記第四プーリと前記第三プーリとの間が第二ベルトにより伝動できるように連結され、前記第二スプラインスリーブの中には左右に貫通している第二スプライン穴が設置され、前記第二スプライン穴の中には左右に伸びている第二スプライン軸がスプラインにより連結され、前記第二スプライン軸と前記第二スプライン穴の端壁との間には復帰装置が弾性的に設置され、前記ビーカー蓋と前記ビーカー主体と密着した時、前記第一スプライン軸が前記第一ばねの作用の下で上へ移動して前記第二スプライン穴の中に入り込み、それにより実験の溶液を撹拌することに便利を与える。
【発明の効果】
【０００７】
本発明有益な効果は：本発明のビーカーはビーカー口を密封でき、同時にビーカー口を密封する時に流れガイド棒を連動させて攪拌棒に変形させ、それにより実験の混合溶液の中の物質の間の反応速度を速めることを実現し、設備自体が流れガイド棒を備えていることにより、溶液が跳ね散ることを防止できる。
【図面の簡単な説明】
【０００８】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【０００９】
【図１】図１は本発明の実験用ビーカーの全体構成模式図
【図２】図２は図１のＡの拡大構成模式図
【図３】図３は図１のＢの拡大構成模式図
【発明を実施するための形態】
【００１０】
本説明書に開示したすべての特徴、または開示したすべての方法または過程中のステップは、互いに排斥する特徴と／またはステップ以外に、いずれもあらゆる方式で組み合わせることができる。
【００１１】
図１〜３に示すように、本発明の実験用ビーカーは、ビーカー主体１０及び前記ビーカー主体１０の中に形成され且つ上方に開口した混合チャンバ１１を含み、前記ビーカー主体１０の左右端壁には取っ手１２が対称的に設置され、左側の前記取っ手１２の頂壁の中には動力チャンバ１９が設置され、前記動力チャンバ１９の中には第一スプラインスリーブ１５が回転可能に設置され、前記第一スプラインスリーブ１５の中には上方に開口した第一スプライン穴２３が設置され、前記第一スプライン穴２３の中には第一スプライン軸２２がスプラインにより連結され、前記第一スプライン軸２２と前記第一スプライン穴２３の底壁との間には第一ばね１６が弾性的に設置され、前記第一スプラインスリーブ１５の外面には第一ギヤ２０が固定的に設置され、前記動力チャンバ１９の底壁の中にはモータ１７が固定的に設置され、前記モータ１７の出力軸の上へ伸びている末端には前記第一ギヤ２０と噛み合っている第二ギヤ１８が固定的に設置され、右側の前記取っ手１２の頂壁には前後対称である回転ベース３７が固定的に装着され、前後二つの前記回転ベース３７の間には固定ロッド３８が固定的に設置され、前記固定ロッド３８の外面には第一プーリ３９が固定的に設置され、前記固定ロッド３８にはビーカー蓋１４が回転可能に設置され、前記ビーカー蓋１４が直角に開いている時の方向を右端とし、前記ビーカー蓋１４がしまっている際の時の方向を上方とし、前記ビーカー蓋１４の左側端壁の中には揺れ動きチャンバ２７が設置され、前記揺れ動きチャンバ２７の端壁の中にはガイドスライド溝２８が設置され、前記ガイドスライド溝２８の中にはラック３６がスライド可能に設置され、前記スライド溝２８の右側端壁の中にはギヤチャンバ４４が設置され、前記ギヤチャンバ４４の底壁の中には伝送チャンバ４０が設置され、前記ギヤチャンバ４４の中には第一回転軸４２が回転可能に設置され、前記第一回転軸４２の外面には前記ラック３６と噛み合っている第三ギヤ４３及び前記第三ギヤ４３の前側に位置している第二プーリ４１が固定的に設置され、前記第二プーリ４１と前記第一プーリ３９との間が第一ベルト３５により伝動できるように連結され、前記ラック３６の頂壁の中には凹溝２９が設置され、前記凹溝２９の中には回転ブロック３０が回転可能に設置され、前記回転ブロック３０の中には抜き穴が設置され、前記抜き穴の中には流れガイド棒１３が設置され、前記ビーカー蓋１４と前記ビーカー主体１０とが密着した時、前記第一スプライン軸２２が前記第一ばね１６の作用の下で上へ移動して前記第二スプライン穴５２の中に入り込み、溶液を前記流れガイド棒１３に沿って注ぎ、それにより溶液が飛び散ることを防止できる。
【００１２】
有益なように、前記流れガイド棒１３の外周には環状溝３４が設置され、前記環状溝３４の中には環状リミットブロック３３がスライド可能に設置され、前記環状リミットブロック３３と前記環状溝３４の端壁との間には第二ばね３２が弾性的に設置され、前記流れガイド棒１３の末端の円周壁の中には複数組の収納溝２５が設置され、前記収納溝２５の中には撹拌羽根２６が回転可能に設置され、前記撹拌羽根２６と前記環状リミットブロック３３との間には引き紐２４が連結され、前記揺れ動かきチャンバ２７の右側端壁の中にはベルトチャンバ４８が設置され、前記揺れ動きチャンバ２７と前記ベルトチャンバ４８との間には前記流れガイド棒１３とヒンジで繋がれている第二回転軸４５が回転可能に設置され、前記ベルトチャンバ４８の中の前記第二回転軸４５の外面には第三プーリ４６が固定的に設置され、前記ベルトチャンバ４８の中には左右に伸びている第二スプラインスリーブ５０が回転可能に設置され、前記第二スプラインスリーブ５０の外面には第四プーリ５１が固定的に設置され、前記第四プーリ５１と前記第三プーリ４６との間が第二ベルト４７により伝動できるように連結され、前記第二スプラインスリーブ５０の中には左右に貫通している第二スプライン穴５２が設置され、前記第二スプライン穴５２の中には左右に伸びている第二スプライン軸５４がスプラインにより連結され、前記第二スプライン軸５４と前記第二スプライン穴５２の端壁との間には復帰装置５３が弾性的に設置され、前記ビーカー蓋１４と前記ビーカー主体１０と密着した時、前記第一スプライン軸２２が前記第一ばね１６の作用の下で上へ移動して前記第二スプライン穴５２の中に入り込み、それにより実験の溶液を撹拌することに便利を与える。
【００１３】
以下、出願人は附図１〜３及び上記に述べた本出願の実験用ビーカーの具体的な構成を参照してその使用方法を詳しく紹介する：
【００１４】
本発明設備で実験を行う時、原液を流れガイド棒１３に沿って注ぎ、原液がビーカーの壁に沿って混合チャンバ１１の中に流れ込み、それから添加物を上記の方法に従って混合チャンバ１１の中に注ぎ、この時にビーカー蓋１４を閉め、ビーカー蓋１４が回転して第二プーリ４１を回転連動させ、それにより第三ギヤ４３を回転連動させ、それによりラック３６を連動させて上へ移動させ、それにより流れガイド棒１３を回転連動させ、同時に流れガイド棒１３が回転ブロック１３の中でスライドし、この時に環状リミットブロック３３が第二ばね３２の作用により移動し、それにより引き紐２４が連動して撹拌羽根２６を引き動かして広げ、ビーカー蓋１４が第一スプライン軸２２と当接した時、第一スプライン軸２２が下へ移動して第一ばね１６を圧縮し、ビーカー蓋１４がビーカー主体１０と密着した時、第一スプライン軸２２が第一ばね１６の作用の下で上へ移動して第二スプライン穴５２の中に入り込み、この時に第二スプライン軸５４が押し出され、モータ１７が始動されて回転して第二ギヤ１８と第一ギヤ２０と第一スプラインスリーブ２１と第一スプライン軸２２と第二スプラインスリーブ５０と第四プーリ５０と第三プーリ４６と第二回転軸４５と流れガイド棒１３とを回転連動させ、それにより撹拌羽根２６を回転連動させて混合液を撹拌し、混合液が十分に混合反応した時、第二スプライン軸５４を下へ押して第一スプライン軸２２を第二スプライン穴５２から押し出し、この時にビーカー蓋１４を開け、設備が初期状態に戻り、溶液の混合反応実験を完成する。
【００１５】
以上詳細な分析からわかったのは：本発明のビーカーはビーカー口を密封でき、同時にビーカー口を密封する時に流れガイド棒を連動させて攪拌棒に変形させ、それにより実験の混合溶液の中の物質の間の反応速度を速めることを実現し、設備自体が流れガイド棒を備えていることにより、溶液が跳ね散ることを防止できる。
【００１６】
上記に述べたことは、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定された保護範囲を基準とするベきである。
【手続補正書】
【提出日】令和1年8月12日(2019.8.12)
【手続補正１】
【補正対象書類名】特許請求の範囲
【補正対象項目名】請求項１
【補正方法】変更
【補正の内容】
【請求項１】
正面視で、ビーカー主体及び前記ビーカー主体の中に形成され且つ上方に開口した混合チャンバを含み、前記ビーカー主体の左右端壁には取っ手が対称的に設置され、左側の前記取っ手の頂壁の中には動力チャンバが設置され、前記動力チャンバの中には第一スプラインスリーブが回転可能に設置され、前記第一スプラインスリーブの中には上方に開口した第一スプライン穴が設置され、前記第一スプライン穴の中には第一スプライン軸がスプラインにより連結され、前記第一スプライン軸と前記第一スプライン穴の底壁との間には第一ばねが弾性的に設置され、前記第一スプラインスリーブの外面には第一ギヤが固定的に設置され、前記動力チャンバの底壁の中にはモータが固定的に設置され、前記モータの出力軸の上へ伸びている末端には前記第一ギヤと噛み合っている第二ギヤが固定的に設置され、右側の前記取っ手の頂壁には前後対称である回転ベースが固定的に装着され、前後二つの前記回転ベースの間には固定ロッドが固定的に設置され、前記固定ロッドの外面には第一プーリが固定的に設置され、前記固定ロッドにはビーカー蓋が回転可能に設置され、前記ビーカー蓋が直角に開いている時の前記ビーカー蓋の左側端壁の中には揺れ動きチャンバが設置され、前記ビーカー蓋が直角に開いている時の前記揺れ動きチャンバの端壁の中にはガイドスライド溝が設置され、前記ガイドスライド溝の中にはラックがスライド可能に設置され、前記ビーカー蓋が直角に開いている時の前記スライド溝の右側端壁の中にはギヤチャンバが設置され、前記ビーカー蓋が直角に開いている時の前記ギヤチャンバの底壁の中には伝送チャンバが設置され、前記ギヤチャンバの中には第一回転軸が回転可能に設置され、前記第一回転軸の外面には前記ラックと噛み合っている第三ギヤと、前記ビーカー蓋が直角に開いている時の前記第三ギヤの前側に位置している第二プーリとが固定的に設置され、前記第二プーリと前記第一プーリとの間が第一ベルトにより伝動できるように連結され、前記ビーカー蓋が直角に開いている時の前記ラックの頂壁の中には凹溝が設置され、前記凹溝の中には回転ブロックが回転可能に設置され、前記回転ブロックの中には抜き穴が設置され、前記抜き穴の中には流れガイド棒が設置され、前記ビーカー蓋と前記ビーカー主体とが密着した時、前記第一スプライン軸が前記第一ばねの作用の下で上へ移動して前記第二スプライン穴の中に入り込み、溶液を前記流れガイド棒に沿って注ぎ、それにより溶液が飛び散ることを防止できることを特徴とする実験用ビーカー。
【手続補正２】
【補正対象書類名】明細書
【補正対象項目名】全文
【補正方法】変更
【補正の内容】
【発明の詳細な説明】
【技術分野】
【０００１】
本発明はコップ分野に関わり、具体的には実験用ビーカーである。
【背景技術】
【０００２】
人々は実験を行う時、各種の溶液を混合して撹拌する必要があり、伝統的なビーカーは溶液を入れて貯蔵する機能だけを持ち、自動的に溶液を混合できなく、また実験のときに溶液を直接に注ぐと溶液が飛び散りやすく、実験を行う人にとって危険であり、従って上記の問題を解決するために実験用ビーカーが強く求められている。
【先行技術文献】
【特許文献】
【０００３】
【特許文献１】中国特許出願公開第１０６０００４８８号明細書
【発明の概要】
【発明が解決しようとする課題】
【０００４】
本発明は実験用ビーカーを提供し、既存技術にある上記の欠点を解決し、設備の実用性を高めることを目的とする。
【課題を解決するための手段】
【０００５】
本発明の実験用ビーカーは、ビーカー主体及び前記ビーカー主体の中に形成され且つ上方に開口した混合チャンバを含み、前記ビーカー主体の左右端壁には取っ手が対称的に設置され、左側の前記取っ手の頂壁の中には動力チャンバが設置され、前記動力チャンバの中には第一スプラインスリーブが回転可能に設置され、前記第一スプラインスリーブの中には上方に開口した第一スプライン穴が設置され、前記第一スプライン穴の中には第一スプライン軸がスプラインにより連結され、前記第一スプライン軸と前記第一スプライン穴の底壁との間には第一ばねが弾性的に設置され、前記第一スプラインスリーブの外面には第一ギヤが固定的に設置され、前記動力チャンバの底壁の中にはモータが固定的に設置され、前記モータの出力軸の上へ伸びている末端には前記第一ギヤと噛み合っている第二ギヤが固定的に設置され、右側の前記取っ手の頂壁には前後対称である回転ベースが固定的に装着され、前後二つの前記回転ベースの間には固定ロッドが固定的に設置され、前記固定ロッドの外面には第一プーリが固定的に設置され、前記固定ロッドにはビーカー蓋が回転可能に設置され、前記ビーカー蓋が直角に開いている時の前記ビーカー蓋の左側端壁の中には揺れ動きチャンバが設置され、前記ビーカー蓋が直角に開いている時の前記揺れ動きチャンバの端壁の中にはガイドスライド溝が設置され、前記ガイドスライド溝の中にはラックがスライド可能に設置され、前記ビーカー蓋が直角に開いている時の前記スライド溝の右側端壁の中にはギヤチャンバが設置され、前記ビーカー蓋が直角に開いている時の前記ギヤチャンバの底壁の中には伝送チャンバが設置され、前記ギヤチャンバの中には第一回転軸が回転可能に設置され、前記第一回転軸の外面には前記ラックと噛み合っている第三ギヤと、前記ビーカー蓋が直角に開いている時の前記第三ギヤの前側に位置している第二プーリとが固定的に設置され、前記第二プーリと前記第一プーリとの間が第一ベルトにより伝動できるように連結され、前記ビーカー蓋が直角に開いている時の前記ラックの頂壁の中には凹溝が設置され、前記凹溝の中には回転ブロックが回転可能に設置され、前記回転ブロックの中には抜き穴が設置され、前記抜き穴の中には流れガイド棒が設置され、前記ビーカー蓋と前記ビーカー主体とが密着した時、前記第一スプライン軸が前記第一ばねの作用の下で上へ移動して前記第二スプライン穴の中に入り込み、溶液を前記流れガイド棒に沿って注ぎ、それにより溶液が飛び散ることを防止できる。
【０００６】
好ましくは、前記流れガイド棒の外周には環状溝が設置され、前記環状溝の中には環状リミットブロックがスライド可能に設置され、前記環状リミットブロックと前記環状溝の端壁との間には第二ばねが弾性的に設置され、前記流れガイド棒の末端の円周壁の中には複数組の収納溝が設置され、前記収納溝の中には撹拌羽根が回転可能に設置され、前記撹拌羽根と前記環状リミットブロックとの間には引き紐が連結され、前記揺れ動かきチャンバの右側端壁の中にはベルトチャンバが設置され、前記揺れ動きチャンバと前記ベルトチャンバとの間には前記流れガイド棒とヒンジで繋がれている第二回転軸が回転可能に設置され、前記ベルトチャンバの中の前記第二回転軸の外面には第三プーリが固定的に設置され、前記ベルトチャンバの中には左右に伸びている第二スプラインスリーブが回転可能に設置され、前記第二スプラインスリーブの外面には第四プーリが固定的に設置され、前記第四プーリと前記第三プーリとの間が第二ベルトにより伝動できるように連結され、前記第二スプラインスリーブの中には左右に貫通している第二スプライン穴が設置され、前記第二スプライン穴の中には左右に伸びている第二スプライン軸がスプラインにより連結され、前記第二スプライン軸と前記第二スプライン穴の端壁との間には復帰装置が弾性的に設置され、前記ビーカー蓋と前記ビーカー主体と密着した時、前記第一スプライン軸が前記第一ばねの作用の下で上へ移動して前記第二スプライン穴の中に入り込み、それにより実験の溶液を撹拌することに便利を与える。
【発明の効果】
【０００７】
本発明有益な効果は：本発明のビーカーはビーカー口を密封でき、同時にビーカー口を密封する時に流れガイド棒を連動させて攪拌棒に変形させ、それにより実験の混合溶液の中の物質の間の反応速度を速めることを実現し、設備自体が流れガイド棒を備えていることにより、溶液が跳ね散ることを防止できる。
【図面の簡単な説明】
【０００８】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【０００９】
【図１】図１は本発明の実験用ビーカーの全体構成模式図
【図２】図２は図１のＡの拡大構成模式図
【図３】図３は図１のＢの拡大構成模式図
【発明を実施するための形態】
【００１０】
本説明書に開示したすべての特徴、または開示したすべての方法または過程中のステップは、互いに排斥する特徴と／またはステップ以外に、いずれもあらゆる方式で組み合わせることができる。
【００１１】
図１〜３に示すように、本発明の実験用ビーカーは、ビーカー主体１０及び前記ビーカー主体１０の中に形成され且つ上方に開口した混合チャンバ１１を含み、前記ビーカー主体１０の左右端壁には取っ手１２が対称的に設置され、左側の前記取っ手１２の頂壁の中には動力チャンバ１９が設置され、前記動力チャンバ１９の中には第一スプラインスリーブ１５が回転可能に設置され、前記第一スプラインスリーブ１５の中には上方に開口した第一スプライン穴２３が設置され、前記第一スプライン穴２３の中には第一スプライン軸２２がスプラインにより連結され、前記第一スプライン軸２２と前記第一スプライン穴２３の底壁との間には第一ばね１６が弾性的に設置され、前記第一スプラインスリーブ１５の外面には第一ギヤ２０が固定的に設置され、前記動力チャンバ１９の底壁の中にはモータ１７が固定的に設置され、前記モータ１７の出力軸の上へ伸びている末端には前記第一ギヤ２０と噛み合っている第二ギヤ１８が固定的に設置され、右側の前記取っ手１２の頂壁には前後対称である回転ベース３７が固定的に装着され、前後二つの前記回転ベース３７の間には固定ロッド３８が固定的に設置され、前記固定ロッド３８の外面には第一プーリ３９が固定的に設置され、前記固定ロッド３８にはビーカー蓋１４が回転可能に設置され、前記ビーカー蓋１４が直角に開いている時の前記ビーカー蓋１４の左側端壁の中には揺れ動きチャンバ２７が設置され、前記ビーカー蓋１４が直角に開いている時の前記揺れ動きチャンバ２７の端壁の中にはガイドスライド溝２８が設置され、前記ガイドスライド溝２８の中にはラック３６がスライド可能に設置され、前記ビーカー蓋１４が直角に開いている時の前記スライド溝２８の右側端壁の中にはギヤチャンバ４４が設置され、前記ビーカー蓋１４が直角に開いている時の前記ギヤチャンバ４４の底壁の中には伝送チャンバ４０が設置され、前記ギヤチャンバ４４の中には第一回転軸４２が回転可能に設置され、前記第一回転軸４２の外面には前記ラック３６と噛み合っている第三ギヤ４３と、前記ビーカー蓋１４が直角に開いている時の前記第三ギヤ４３の前側に位置している第二プーリ４１とが固定的に設置され、前記第二プーリ４１と前記第一プーリ３９との間が第一ベルト３５により伝動できるように連結され、前記ビーカー蓋１４が直角に開いている時の前記ラック３６の頂壁の中には凹溝２９が設置され、前記凹溝２９の中には回転ブロック３０が回転可能に設置され、前記回転ブロック３０の中には抜き穴が設置され、前記抜き穴の中には流れガイド棒１３が設置され、前記ビーカー蓋１４と前記ビーカー主体１０とが密着した時、前記第一スプライン軸２２が前記第一ばね１６の作用の下で上へ移動して前記第二スプライン穴５２の中に入り込み、溶液を前記流れガイド棒１３に沿って注ぎ、それにより溶液が飛び散ることを防止できる。
【００１２】
有益なように、前記流れガイド棒１３の外周には環状溝３４が設置され、前記環状溝３４の中には環状リミットブロック３３がスライド可能に設置され、前記環状リミットブロック３３と前記環状溝３４の端壁との間には第二ばね３２が弾性的に設置され、前記流れガイド棒１３の末端の円周壁の中には複数組の収納溝２５が設置され、前記収納溝２５の中には撹拌羽根２６が回転可能に設置され、前記撹拌羽根２６と前記環状リミットブロック３３との間には引き紐２４が連結され、前記揺れ動かきチャンバ２７の右側端壁の中にはベルトチャンバ４８が設置され、前記揺れ動きチャンバ２７と前記ベルトチャンバ４８との間には前記流れガイド棒１３とヒンジで繋がれている第二回転軸４５が回転可能に設置され、前記ベルトチャンバ４８の中の前記第二回転軸４５の外面には第三プーリ４６が固定的に設置され、前記ベルトチャンバ４８の中には左右に伸びている第二スプラインスリーブ５０が回転可能に設置され、前記第二スプラインスリーブ５０の外面には第四プーリ５１が固定的に設置され、前記第四プーリ５１と前記第三プーリ４６との間が第二ベルト４７により伝動できるように連結され、前記第二スプラインスリーブ５０の中には左右に貫通している第二スプライン穴５２が設置され、前記第二スプライン穴５２の中には左右に伸びている第二スプライン軸５４がスプラインにより連結され、前記第二スプライン軸５４と前記第二スプライン穴５２の端壁との間には復帰装置５３が弾性的に設置され、前記ビーカー蓋１４と前記ビーカー主体１０と密着した時、前記第一スプライン軸２２が前記第一ばね１６の作用の下で上へ移動して前記第二スプライン穴５２の中に入り込み、それにより実験の溶液を撹拌することに便利を与える。
【００１３】
以下、出願人は附図１〜３及び上記に述べた本出願の実験用ビーカーの具体的な構成を参照してその使用方法を詳しく紹介する：
【００１４】
本発明設備で実験を行う時、原液を流れガイド棒１３に沿って注ぎ、原液がビーカーの壁に沿って混合チャンバ１１の中に流れ込み、それから添加物を上記の方法に従って混合チャンバ１１の中に注ぎ、この時にビーカー蓋１４を閉め、ビーカー蓋１４が回転して第二プーリ４１を回転連動させ、それにより第三ギヤ４３を回転連動させ、それによりラック３６を連動させて上へ移動させ、それにより流れガイド棒１３を回転連動させ、同時に流れガイド棒１３が回転ブロック１３の中でスライドし、この時に環状リミットブロック３３が第二ばね３２の作用により移動し、それにより引き紐２４が連動して撹拌羽根２６を引き動かして広げ、ビーカー蓋１４が第一スプライン軸２２と当接した時、第一スプライン軸２２が下へ移動して第一ばね１６を圧縮し、ビーカー蓋１４がビーカー主体１０と密着した時、第一スプライン軸２２が第一ばね１６の作用の下で上へ移動して第二スプライン穴５２の中に入り込み、この時に第二スプライン軸５４が押し出され、モータ１７が始動されて回転して第二ギヤ１８と第一ギヤ２０と第一スプラインスリーブ２１と第一スプライン軸２２と第二スプラインスリーブ５０と第四プーリ５０と第三プーリ４６と第二回転軸４５と流れガイド棒１３とを回転連動させ、それにより撹拌羽根２６を回転連動させて混合液を撹拌し、混合液が十分に混合反応した時、第二スプライン軸５４を下へ押して第一スプライン軸２２を第二スプライン穴５２から押し出し、この時にビーカー蓋１４を開け、設備が初期状態に戻り、溶液の混合反応実験を完成する。
【００１５】
以上詳細な分析からわかったのは：本発明のビーカーはビーカー口を密封でき、同時にビーカー口を密封する時に流れガイド棒を連動させて攪拌棒に変形させ、それにより実験の混合溶液の中の物質の間の反応速度を速めることを実現し、設備自体が流れガイド棒を備えていることにより、溶液が跳ね散ることを防止できる。
【００１６】
上記に述べたことは、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定された保護範囲を基準とするベきである。